(57)【特許請求の範囲】
【請求項１】
固定壁と前記固定壁の開口を開閉する扉とに取り付けられる異常検出装置であって、
前記固定壁に取り付けられる被検出体と、
前記扉に取り付けられ、前記被検出体を検出することによって前記扉の開閉状態を検出する扉検出部と、
前記扉の一方側に配置され、前記扉の一方側の人の存在を検出する人検出部と、
前記扉検出部が前記扉の閉状態を検出し且つ前記人検出部が人の存在を検出する際に、異常と判断する制御部と、を備え、
前記制御部は、前記扉検出部が前記扉の閉状態を検出し且つ前記人検出部が人の存在を検出する時間が、設定時間を超えて継続した際に、異常と判断する異常検出装置。
【請求項２】
前記扉の一方側に配置され、前記制御部が異常と判断した際に光を発する光源と、
前記扉の一方側から他方側に亘って配置され、前記光源が発する光を、内部で伝搬して少なくとも前記扉の他方側に配置される部分から外部へ放出する導光体と、を備える請求項１に記載の異常検出装置。
【請求項３】
扉に取り付けられる異常検出装置であって、
前記扉の開閉状態を検出する扉検出部と、
前記扉の一方側に配置され、前記扉の一方側の人の存在を検出する人検出部と、
前記扉検出部が前記扉の閉状態を検出し且つ前記人検出部が人の存在を検出する際に、異常と判断する制御部と、
前記扉の一方側に配置され、前記制御部が異常と判断した際に光を発する光源と、
前記扉の一方側から他方側に亘って配置され、前記光源が発する光を、内部で伝搬して少なくとも前記扉の他方側に配置される部分から外部へ放出する導光体と、
前記扉の一方側に配置され、前記光源と前記導光体の一端部とを収容するケース体と、
前記扉の他方側に配置され、前記ケース体と協働して前記導光体の他端部と前記扉とを挟持する挟持体と、
前記ケース体と前記挟持体とを連結する連結体と、を備え、
前記連結体は、前記扉との間に前記導光体を収容する凹状の収容部を備え、
前記挟持体は、前記導光体が他端部から外部に放出した光を透過するように、透光性を有する異常検出装置。
【請求項４】
前記扉の一方側で且つ上方側に配置されるケース体を備え、
前記ケース体は、下方側に傾斜面を備え、
前記人検出部は、人感センサであり、前記傾斜面に配置される請求項１〜３の何れか１項に記載の異常検出装置。
【発明の詳細な説明】
【技術分野】
【０００１】
本発明は、扉に取り付けられる異常検出装置に関する。
【背景技術】
【０００２】
従来、扉に取り付けられる異常検出装置が知られている（例えば、特許文献１）。特許文献１に係る異常検出装置は、扉の施錠を検出することで、人が存在していると認識する。しかしながら、斯かる異常検出装置は、扉の施錠を忘れた場合には、人の存在を検出できない。
【先行技術文献】
【特許文献】
【０００３】
【特許文献１】特開２０１０−１８２１６９号公報
【発明の概要】
【発明が解決しようとする課題】
【０００４】
よって、本発明は、斯かる事情に鑑み、異常な状態を正確に検出できる異常検出装置を提供することを課題とする。
【課題を解決するための手段】
【０００５】
本発明に係る異常検出装置は、扉に取り付けられる異常検出装置であって、前記扉の開閉状態を検出する扉検出部と、前記扉の一方側に配置され、前記扉の一方側の人の存在を検出する人検出部と、前記扉検出部が前記扉の閉状態を検出し且つ前記人検出部が人の存在を検出する際に、異常と判断する制御部と、を備える。
【０００６】
また、異常検出装置においては、前記制御部は、前記扉検出部が前記扉の閉状態を検出し且つ前記人検出部が人の存在を検出する時間が、設定時間を超えて継続した際に、異常と判断する、という構成でもよい。
【０００７】
また、異常検出装置は、前記扉の一方側に配置され、前記制御部が異常と判断した際に光を発する光源と、前記扉の一方側から他方側に亘って配置され、前記光源が発する光を、内部で伝搬して少なくとも前記扉の他方側に配置される部分から外部へ放出する導光体と、を備える、という構成でもよい。
【０００８】
また、異常検出装置は、前記扉の一方側に配置され、前記光源と前記導光体の一端部とを収容するケース体と、前記扉の他方側に配置され、前記ケース体と協働して前記導光体の他端部と前記扉とを挟持する挟持体と、前記ケース体と前記挟持体とを連結する連結体とを備え、前記連結体は、前記扉との間に前記導光体を収容する凹状の収容部を備え、前記挟持体は、前記導光体が他端部から外部に放出した光を透過するように、透光性を有する、という構成でもよい。
【０００９】
また、異常検出装置は、前記扉の一方側で且つ上方側に配置されるケース体を備え、前記ケース体は、下方側に傾斜面を備え、前記人検出部は、人感センサであり、前記傾斜面に配置される、という構成でもよい。
【発明の効果】
【００１０】
以上の如く、本発明に係る異常検出装置は、異常な状態を正確に検出できる、という優れた効果を奏する。
【図面の簡単な説明】
【００１１】
【図１】図１は、一実施形態に係る異常検出装置が取り付けられた扉を室内から見た図である。
【図２】図２は、同実施形態に係る異常検出装置が取り付けられた扉の断面図である。
【図３】図３は、同実施形態に係る異常検出装置の全体正面図であって、図１のIII領域拡大図である。
【図４】図４は、同実施形態に係る異常検出装置の全体側面図であって、図２のIV領域拡大図である。
【図５】図５は、同実施形態に係る異常検出装置の全体上面図である。
【図６】図６は、図５のVI−VI線における要部断面図である。
【図７】図７は、図６のVII−VII線における要部断面図である。
【図８】図８は、同実施形態に係る異常検出装置のブロック図である。
【図９】図９は、他の実施形態に係る異常検出装置の全体側面図である。
【発明を実施するための形態】
【００１２】
以下、異常検出装置における一実施形態について、図１〜図８を参酌して説明する。なお、各図（図９も同様）において、図面の寸法比と実際の寸法比とは、必ずしも一致していない。
【００１３】
まず、本実施形態に係る異常検出装置の各構成を説明するのに先立って、異常検出装置が取り付けられる扉について説明する。図１〜図５に示すように、扉１００は、固定壁２００の開口２０１を開閉する。本実施形態においては、扉１００は、内開き扉であって、図２及び図４〜図５においては、扉１００に対して右側は、内側（例えば、部屋内）であって、扉１００に対して左側は、外側（例えば、部屋外）である
【００１４】
また、固定壁２００は、扉１００の外側（他方側）に当たる戸当たり２０２を備えている。該戸当たり２０２は、下側に向けて突出しており、扉１００が外側に開くことを防止している。なお、本実施形態においては、異常検出装置１は、トイレの扉１００に取り付けられている。具体的には、異常検出装置１は、トイレの扉１００の上方側に取り付けられている。
【００１５】
異常検出装置１は、扉１００の内側（一方側）に配置される装置本体２と、扉１００の内側から外側に亘って配置され、導光性を有する導光体３と、扉１００の外側に配置され、装置本体２と協働して、導光体３の端部３ａと扉１００とを挟持する挟持体４と、装置本体２と挟持体４とを連結する連結体５とを備えている。また、異常検出装置１は、固定壁２００の内側に固定されて装置本体２に検出される被検出体２０を備えている。
【００１６】
連結体５の一端部は、装置本体２に挿入され、固定具５ａで装置本体２に固定されており、連結体５の他端部は、挟持体４に挿入され、固定具５ｂで挟持体４に固定されている。また、装置本体２は、扉１００の厚みに応じて、連結体５の一端部に対して自由に位置決めすることができる。
【００１７】
そして、装置本体２と挟持体４とが扉１００を挟持することにより、異常検出装置１は、扉１００に取り付けられている。なお、連結体５の他端部は、連結体５の一端部よりも下方側に配置されており、挟持体４の上端は、扉１００の上端よりも下方側に配置されている。これにより、挟持体４が戸当たり２０２と当たることを防止している。
【００１８】
装置本体２は、内部空間を有するケース体６と、被検出体２０を検出することで、扉１００の開閉状態を検出する扉検出部７と、扉１００の内側の人の存在を検出する人検出部８と、ケース体６の内部に収容され、光を発する光源９とを備えている。そして、装置本体２は、装置を制御する制御部３０を備えている。
【００１９】
扉検出部７は、ケース体６の内部に配置されている。そして、扉検出部７は、被検出体２０と対面した際に、被検出体２０を検出することで、扉１００が閉状態であると検出する。即ち、扉検出部７と被検出体２０とは、扉１００が固定壁２００の開口２０１を閉める際に、対面するようにそれぞれ配置されている。
【００２０】
本実施形態においては、扉検出部７は、マグネットセンサであり、被検出体２０は、内部に磁石を備えている。また、扉検出部７は、幅方向（図３の左右方向）の両側に配置されている。これにより、扉１００の種類に応じて、被検出体２０は、扉１００（装置本体２）の右側だけでなく、左側にも配置され得る。なお、扉検出部７は、装置本体２の上方側、下方側、前方側、後方側等に配置される被検出体２０も検出できるように、ケース体６の内部に備えられてもよい。
【００２１】
人検出部８は、人感センサである。具体的には、人検出部８は、検出波（例えば、赤外線、超音波、可視光等）を利用した人感センサである。例えば、人感センサは、受光する熱（赤外線）の変化を検出する焦電人感センサや、検出波（赤外線）を発光して人による反射光を受光して検出する測距人感センサ等を採用している。本実施形態においては、人感センサは、所定の立体角の範囲内における人の存在を検出している。
【００２２】
また、人検出部８は、ケース体６の下方側の傾斜面６ａに配置されている。これにより、人検出部８で検出できる範囲は、広範囲になる。なお、該傾斜面６ａは、ケース体６の下方側にいくにつれて、扉１００側に向かうように傾斜している。
【００２３】
また、装置本体２は、装置に電力を供給するための電源部１１を備えている。本実施形態においては、装置本体２は、乾電池（図示していない）により、電力を供給されている。そして、電源部１１は、乾電池を嵌め込むことで乾電池と接続する凹状の電池接続部１１ａと、ケース体６に着脱可能であり、電池接続部１１ａを覆うカバー１１ｂとを備えている。なお、電源部１１は、ＡＣ電源からの電力の供給を受けるべく、例えば、ケーブル及びコンセントプラグである、という構成でもよい。
【００２４】
また、装置本体２は、各種情報を出力する出力部１２を備えている。該出力部１２は、外部に向けて視覚的に情報を出力する表示出力部１２ａと、外部に向けて聴覚的に情報を出力する音出力部１２ｂとを備えている。本実施形態においては、表示出力部１２ａは、表示灯であり、音出力部１２ｂは、ケース体６の内部に収容されているブザー（図示していない）である。
【００２５】
また、装置本体２は、各種情報を入力するための入力部１３を備えている。該入力部１３は、電源のオンオフの指示を入力するための電源入力部１３ａと、検出の設定時間の指示を入力するための設定入力部１３ｂと、出力部１２が出力している状態を解除する指示を入力するための解除入力部１３ｃとを備えている。本実施形態においては、電源入力部１３ａ及び解除入力部１３ｃは、それぞれ押し釦スイッチであり、設定入力部１３ｂは、選択スイッチである。
【００２６】
なお、入力部１３は、各入力部１３ａ〜１３ｃの入力情報のうち、複数の入力情報を、一つのスイッチで入力するような構成でもよい。例えば、入力部１３においては、一つのスイッチが電源入力部１３ａ及び設定入力部１３ｂの機能を備えている、という構成でもよく、一つのスイッチが各入力部１３ａ〜１３ｃの全ての機能を備えている、という構成でもよい。
【００２７】
導光体３は、図４及び図６〜図７に示すように、平板状に形成されている。なお、導光体３は、フィルム状又は紙状に形成されていてもよい。また、導光体３は、弾性を有している。そして、導光体３の一端部は、ケース体６の内部に収容されており、導光体３の他端部３ａは、扉１００と挟持体４との間に配置されている。
【００２８】
導光体３は、光源９が発する光を、内部で伝搬して扉１００の外側に配置される部分３ａから放出する。具体的には、導光体３は、光源９から発せられた光が入射され、該光を、全体に亘って拡散して全体から外部に放出する。例えば、導光体３は、シリコーンゴム等から形成されている。
【００２９】
そして、挟持体４は、透光性を有している。これにより、導光体３が他端部（具体的には、挟持体４と扉１００との間に挟まれている部分）３ａから外部に放出した光は、挟持体４を透過して、挟持体４の外部に放出される。したがって、扉１００の内側に配置される光源９が放出した光は、導光体３及び挟持体４を経由して、扉１００の外側で異常検出装置１の外部へ放出される。
【００３０】
連結体５は、板状に形成されており、二箇所で屈曲して形成されている。そして、連結体５は、扉１００の上面及び外側面に沿って配置されている。また、連結体５は、導光体３を収容する凹状の収容部５ｃを備えている。該収容部５ｃは、連結体５の長手方向に沿って延びていると共に、連結体５の短手方向の中央に配置されている。これにより、収容部５ｃに収容される導光体３は、連結体５と扉１００との間に配置されると共に、扉１００の上面及び外側面に接している。
【００３１】
図８に示すように、制御部３０は、各種情報（例えば、設定入力部１３ｂで入力された設定時間等）を記憶する記憶部３０ａと、各種情報を演算する演算部３０ｂとを備えている。また、制御部３０は、光源９に信号を出力することで光源９を制御する光源制御部３０ｃと、表示出力部１２ａに信号を出力することで表示出力部１２ａを制御する表示出力制御部３０ｄと、音出力部１２ｂに信号を出力することで音出力制御部３０ｅを制御する音出力制御部３０ｅとを備えている。
【００３２】
演算部３０ｂは、扉検出部７が扉１００の閉状態を検出し且つ人検出部８が人の存在を検出する時間を演算する。そして、演算部３０ｂは、当該時間が記憶部３０ａで記憶している設定時間を超えて継続した際に、異常と判断する。
【００３３】
演算部３０ｂが異常と判断した際には、光源９は、光源制御部３０ｃに制御されることで、光を発し、表示出力部１２ａは、表示出力制御部３０ｄに制御されることで、出力（点灯）し、音出力部１２ｂは、音出力制御部３０ｅに制御されることで、出力（発音）する。なお、斯かる状態において、解除入力部１３ｃに解除の指示が入力された際には、各制御部３０ｃ〜３０ｅに制御されることにより、光源９は、光を発することを停止し、各出力部１２ａ，１２ｂは、出力することを停止する。
【００３４】
また、異常検出装置１は、電池接続部１１ａに接続されている乾電池の電力が低下したことを検出する電力検出部１４を備えている。そして、電力検出部１４が乾電池の電力低下を検出した際にも、光源９は、光を発し、表示出力部１２ａは、出力（点灯）し、音出力部１２ｂは、出力（発音）する。斯かる発光や出力も、解除入力部１３ｃに解除の指示が入力されることで、停止する。
【００３５】
なお、制御部３０は、演算部３０ｂが異常と判断した際と電力検出部１４が乾電池の電力低下を検出した際とで、光源９の発光や出力部１２の出力の方式を変えるように、光源９及び各出力部１２ａ，１２ｂを制御する、という構成でもよい。例えば、制御部３０は、電力検出部１４が乾電池の電力低下を検出した際には、光源９を発光させる一方、各出力部１２ａ，１２ｂを出力させないように、光源９及び各出力部１２ａ，１２ｂを制御する、という構成でもよい。
【００３６】
以上より、本実施形態に係る異常検出装置１は、扉１００に取り付けられる異常検出装置１であって、前記扉１００の開閉状態を検出する扉検出部７と、前記扉１００の一方側（具体的には、内側）に配置され、前記扉１００の一方側の人の存在を検出する人検出部８と、前記扉検出部７が前記扉１００の閉状態を検出し且つ前記人検出部８が人の存在を検出する際に、異常と判断する制御部３０と、を備える。
【００３７】
斯かる構成によれば、扉検出部７が、扉１００の開閉状態を検出しており、扉１００の一方側に配置される人検出部８が、扉１００の一方側の人の存在を検出している。そして、扉検出部７が扉１００の閉状態を検出し且つ人検出部８が人の存在を検出する際に、制御部３０は、異常と判断する。これにより、扉１００を閉じて人が存在することが継続した異常な状態（例えば、人がトイレ内で倒れた等の異常な状態）を、例えば、外部に報知することができる。
【００３８】
それに対して、扉１００を開いて人が存在することが継続した状態（例えば、人がトイレを点検したり掃除したりする等の状態）や、扉１００を閉じて人が存在しない状態（即ち、人がいない状態）においては、制御部３０は、異常と判断しない。このように、異常な状態を正確に検出することができる。
【００３９】
また、本実施形態に係る異常検出装置１においては、前記制御部３０は、前記扉検出部７が前記扉１００の閉状態を検出し且つ前記人検出部８が人の存在を検出する時間が、設定時間を超えて継続した際に、異常と判断する、という構成である。
【００４０】
斯かる構成によれば、扉検出部７が扉１００の閉状態を検出し且つ人検出部８が人の存在を検出する時間が、設定時間を超えて継続した際に、制御部３０は、異常と判断する。これにより、制御部３０は、扉１００を閉じて人が存在した状態だけでは、異常な状態と判断せず、当該状態が継続した際に、異常な状態と判断する。これにより、異常な状態を正確に検出することができる。
【００４１】
また、本実施形態に係る異常検出装置１は、前記扉１００の一方側に配置され、前記制御部３０が異常と判断した際に光を発する光源９と、前記扉１００の一方側から他方側（具体的には、外側）に亘って配置され、前記光源９が発する光を、内部で伝搬して少なくとも前記扉１００の他方側に配置される部分３ａから外部へ放出する導光体３と、を備える、という構成である。
【００４２】
斯かる構成によれば、扉１００の一方側に配置される光源９は、制御部３０が異常と判断した際に、光を発する。そして、扉１００の一方側から他方側に亘って配置される導光体３は、光源９が発する光を内部で伝搬して、少なくとも扉１００の他方側に配置される部分３ａから外部へ光を放出する。これにより、扉１００を閉じて扉１００の一方側に人が存在することが継続した異常な状態を、扉１００の他方側に報知することができる。
【００４３】
また、本実施形態に係る異常検出装置１は、前記扉１００の一方側に配置され、前記光源９と前記導光体３の一端部とを収容するケース体６と、前記扉１００の他方側に配置され、前記ケース体６と協働して前記導光体３の他端部３ａと前記扉１００とを挟持する挟持体４と、前記ケース体６と前記挟持体４とを連結する連結体５とを備え、前記連結体５は、前記扉１００との間に前記導光体３を収容する凹状の収容部５ｃを備え、前記挟持体４は、前記導光体３が他端部３ａから外部に放出した光を透過するように、透光性を有する、という構成である。
【００４４】
斯かる構成によれば、連結体５は、扉１００の一方側に配置されるケース体６と、扉１００の他方側に配置される挟持体４とを連結している。そして、ケース体６は、光源９と導光体３の一端部とを収容し、連結体５は、凹状の収容部５ｃにより、扉１００との間に導光体３を収容し、挟持体４は、ケース体６と協働して導光体３の他端部３ａと扉１００とを挟持している。
【００４５】
これにより、導光体３は、扉１００の表面に沿って配置されている。そして、挟持体４が透光性を有するため、導光体３の他端部３ａから放出された光は、挟持体４を透過して、挟持体４の外部に放出される。したがって、導光体３を扉１００の表面に沿って保持できると共に、扉１００を閉じて扉１００の一方側に人が存在することが継続した異常な状態を、扉１００の他方側に報知することができる。
【００４６】
また、本実施形態に係る異常検出装置１は、前記扉１００の一方側で且つ上方側に配置されるケース体６を備え、前記ケース体６は、下方側に傾斜面６ａを備え、前記人検出部８は、人感センサであり、前記傾斜面６ａに配置される、という構成である。
【００４７】
斯かる構成によれば、扉１００の一方側で且つ上方側に配置されるケース体６は、下方側に、傾斜面６ａを備えている。そして、人感センサである人検出部８は、傾斜面６ａに配置されている。これにより、人検出部８で検出できる範囲を広範囲にすることができる。
【００４８】
なお、異常検出装置は、上記した実施形態の構成に限定されるものではなく、また、上記した作用効果に限定されるものではない。また、異常検出装置は、本発明の要旨を逸脱しない範囲内において種々変更を加え得ることは勿論である。例えば、下記する各種の変更例に係る構成や方法等を任意に選択して、上記した実施形態に係る構成や方法等に採用してもよいことは勿論である。
【００４９】
上記実施形態に係る異常検出装置１は、内開き扉１００に取り付けられる、という構成である。しかしながら、異常検出装置は、斯かる構成に限られない。例えば、図９に示すように、異常検出装置１０は、外開き扉１００に取り付けられる、という構成でもよい。
【００５０】
図９においては、扉１００に対して右側は、内側（例えば、部屋内）であって、扉１００に対して左側は、外側（例えば、部屋外）である。そして、固定壁２００は、扉１００の内側（一方側）に当たる戸当たり２０２を備えている。該戸当たり２０２は、下側に向けて突出しており、扉１００が内側に開くことを防止している。
【００５１】
図９に係る異常検出装置１０は、上記実施形態に係る装置本体２、導光体３、及び挟持体４を備えると共に、上記実施形態に係る連結体５と異なる構成の連結体５０を備えている。そして、連結体５０の一端部は、装置本体２に挿入され、固定具（図示していない）で装置本体２に固定されており、連結体５０の他端部は、挟持体４に挿入され、固定具５０ｂで挟持体４に固定されている。
【００５２】
また、異常検出装置１０は、装置本体２と挟持体４とで扉１００を挟持することにより、扉１００に取り付けられている。そして、連結体５０の一端部は、連結体５０の他端部よりも下方側に配置されており、装置本体２の上端は、扉１００の上端よりも下方側に配置されている。これにより、装置本体２が戸当たり２０２と当たることを防止している。なお、連結体５０は、板状に形成されており、一箇所で屈曲して形成されている。そして、連結体５０は、扉１００の上面及び内側面に沿って配置されている。
【００５３】
また、上記実施形態に係る異常検出装置１においては、制御部３０が異常と判断した際に、光源９が発光し、導光体３が光源９の光を扉１００の他方側（外側）に報知し、また、各出力部１２ａ，１２ｂが扉１００の一方側（内側）で出力する、という構成である。しかしながら、異常検出装置は、斯かる構成に限られない。
【００５４】
例えば、異常検出装置においては、制御部３０が異常と判断した際に、光源９が発光し、導光体３が光源９の光を扉１００の他方側（外側）に報知する一方、各出力部１２ａ，１２ｂが出力しない、という構成でもよい。また、例えば、異常検出装置においては、制御部３０が異常と判断した際に、各出力部１２ａ，１２ｂの少なくとも一方が扉１００の一方側（内側）で出力する一方、光源９が発光しない、という構成でもよい。
【００５５】
さらに、例えば、異常検出装置は、扉１００の他方側に、視覚的や聴覚的な出力を行う出力部を備えており、制御部３０は、異常と判断した際に、有線又は無線（電波等）により、当該出力部を出力するように制御する、という構成でもよい。即ち、異常検出装置は、導光体３、光源９を備えていない、という構成でもよい。
【００５６】
また、例えば、異常検出装置は、制御部３０が異常と判断した際に、有線又は無線により、離れた場所の中央監視室等に異常信号を出力（発信）する出力部を備えている、という構成でもよい。即ち、異常検出装置は、制御部３０が異常と判断した際に、視覚的や聴覚的な出力をしない、という構成でもよい。
【００５７】
また、上記実施形態に係る異常検出装置１は、連結体５で連結される装置本体２と挟持体４とが扉１００を挟持することで、扉１００に取り付けられる、という構成である。しかしながら、異常検出装置は、斯かる構成に限られない。例えば、異常検出装置は、装置本体２と、装置本体２を扉１００に固定する固定機構とを備えている、という構成でもよい。即ち、異常検出装置は、挟持体４、連結体５を備えていない、という構成でもよい。
【００５８】
また、上記実施形態に係る異常検出装置１においては、扉検出部７は、マグネットセンサである、という構成である。しかしながら、異常検出装置は、斯かる構成に限られない。例えば、異常検出装置においては、扉検出部は、扉１００が閉状態の際に、固定壁２００と接触するタッチセンサである、という構成でもよく、また、検出光を出射し、固定壁２００に固定した反射ミラーや固定壁２００に反射する検出光を受光して検出する光電センサである、という構成でもよい。
【００５９】
また、上記実施形態に係る異常検出装置１においては、扉検出部７は、扉１００の一方側（内側）に配置されている、という構成である。しかしながら、異常検出装置は、斯かる構成に限られない。例えば、異常検出装置においては、扉検出部７は、扉１００の他方側（外側）に配置されている、という構成でもよい。例えば、扉検出部７は、挟持体４に備えられている、という構成でもよい。
【００６０】
また、上記実施形態に係る異常検出装置１においては、人検出部８は、人感センサである、という構成である。しかしながら、異常検出装置は、斯かる構成に限られない。例えば、異常検出装置においては、人検出部８は、声や物音等の音を検出することで、人を検出する音検出センサである、という構成でもよい。
【００６１】
また、上記実施形態に係る異常検出装置１においては、ケース体６は、下方側に傾斜面６ａを備え、人検出部８は、傾斜面６ａに配置される、という構成である。しかしながら、異常検出装置は、斯かる構成に限られない。例えば、異常検出装置においては、ケース体６は、傾斜面６ａを備えていない、という構成でもよく、また、人検出部８は、ケース体６の側面等に配置される、という構成でもよい。
【００６２】
また、上記実施形態に係る異常検出装置１においては、連結体５は、扉１００の上面に接するように配置されている、という構成である。しかしながら、異常検出装置は、斯かる構成に限られない。例えば、異常検出装置においては、連結体５は、扉１００の側面に接するように配置されている、という構成でもよい。
【００６３】
また、上記実施形態に係る異常検出装置１においては、ケース体６は、扉１００の上方側に配置されている、という構成である。しかしながら、異常検出装置は、斯かる構成に限られない。例えば、異常検出装置においては、ケース体６は、扉１００の上下方向の中間部又は下方側に配置されている、という構成でもよい。
【００６４】
また、上記実施形態に係る異常検出装置１は、トイレの扉１００に取り付けられており、例えば、人がトイレ内で倒れた等の異常な状態を検出するために用いられている。しかしながら、異常検出装置は、斯かる用途に限られない。例えば、異常検出装置は、他の場所の扉に設置されたり、他の目的で扉に設置されたりすることができる。
【００６５】
例えば、異常検出装置は、公衆トイレや店舗内のトイレの扉に取り付けられ、人がトイレ内に潜んでいるという異常な状態を検出するために用いられてもよい。また、例えば、異常検出装置は、浴室の扉に取り付けられ、人が浴室内で倒れた等の異常な状態を検出するために用いられてもよい。さらに、例えば、異常検出装置は、玄関の扉に取り付けられ、玄関の扉の外側に人が滞在しているという異常な状態を検出するために用いられてもよい。
【００６６】
また、上記実施形態に係る異常検出装置１においては、制御部３０は、扉検出部７が扉１００の閉状態を検出し且つ人検出部８が人の存在を検出する時間が設定時間を超えて継続した際に、異常と判断する、という構成である。しかしながら、異常検出装置は、斯かる用途に限られない。
【００６７】
例えば、異常検出装置においては、制御部３０は、扉検出部７が扉１００の閉状態を検出し且つ人検出部８が人の存在を検出した際に、即座に異常と判断する、という構成でもよい。斯かる構成の異常検出装置は、例えば、内部に人を閉じ込めてはいけない場所（例えば、冷凍室や冷蔵室、物置、倉庫等）の扉１００に取り付けられ、内部に人が居る際に、不用意に扉１００を閉めたという異常な状態を検出するために用いられてもよい。
【符号の説明】
【００６８】
１，１０…異常検出装置、２…装置本体、３…導光体、３ａ…他端部、４…挟持体、５，５０…連結体、５ａ，５ｂ，５０ｂ…固定具、５ｃ…収容部、６…ケース体、６ａ…傾斜面、７…扉検出部、８…人検出部、９…光源、１１…電源部、１１ａ…電池接続部、１１ｂ…カバー、１２…出力部、１２ａ…表示出力部、１２ｂ…音出力部、１３…入力部、１３ａ…電源入力部、１３ｂ…設定入力部、１３ｃ…解除入力部、１４…電力検出部、２０…被検出体、３０…制御部、３０ａ…記憶部、３０ｂ…演算部、３０ｃ…光源制御部、３０ｄ…表示出力制御部、３０ｅ…音出力制御部、１００…扉、２００…固定壁、２０１…開口、２０２…戸当たり
【図１】
0006566344.tif 000002
【図２】
0006566344.tif 000003
【図３】
0006566344.tif 000004
【図４】
0006566344.tif 000005
【図５】
0006566344.tif 000006
【図６】
0006566344.tif 000007
【図７】
0006566344.tif 000008
【図８】
0006566344.tif 000009
【図９】
0006566344.tif 000010